(57)【要約】  内部に保持されるチューブ容器内における内容物の絞り残しの抑制に優れる外装容器及びチューブ容器用スタンドを提供に関することを目的とする。  本発明の外装容器は、平面部と口部とが設けられたチューブ容器の内容物が収納されたチューブ容器本体の外側を囲むように配される外装容器であって、本外装容器は、一対の半割体が組み合わされてなり、各半割体は、開口部と、開口部の下部に連結され、且つ、開口部内に配設された、チューブ容器本体を押圧可能な舌片と、を備え、舌片は、チューブ容器の平面部側を両側から挟むように固定する挟持部と、チューブ容器の平面部側から口部側に向かうにつれて広がるように対向して設けられている押圧板部と、を有することを特徴とする。
2012164779.tif 000002
【特許請求の範囲】
【請求項１】
平面部と口部とが設けられたチューブ容器の内容物が収納されたチューブ容器本体の外側を囲むように配される外装容器であって、
本外装容器は、一対の半割体が組み合わされてなり、
前記各半割体は、開口部と、該開口部の下部に連結され、且つ、該開口部内に配設された、前記チューブ容器本体を押圧可能な舌片と、を備え、
前記舌片は、前記チューブ容器の前記平面部側を両側から挟むように固定する挟持部と、前記チューブ容器の前記平面部側から前記口部側に向かうにつれて広がるように対向して設けられている押圧板部と、を有することを特徴とする外装容器。
【請求項２】
前記押圧板部が、前記挟持部から前記チューブ容器の前記口部側に向けて延設されている請求項１に記載の外装容器。
【請求項３】
本外装容器が、前記チューブ容器の前記口部側を保持するリング状の保持部を有している請求項１又は２に記載の外装容器。
【請求項４】
本外装容器の底部に、凹状のくぼみによる指当て部が設けられている請求項１乃至３のいずれか１項に記載の外装容器。
【請求項５】
前記一対の半割体の一方には、凸状に形成された突起が設けられており、前記一対の半割体の他方には、前記突起と嵌合可能な凹状に形成された受け孔が設けられており、
前記一対の半割体は、前記突起と前記受け孔とを嵌合させることにより組み合わされており、
前記突起には、先割れ形状のスリットが形成されており、
前記受け孔内には、前記突起と前記受け孔とが嵌合したときに前記スリット内に進入する楔が設けられている請求項１乃至４のいずれか１項に記載の外装容器。
【請求項６】
前記チューブ容器は、前記口部の外周面にネジが形成されているとともに、前記口部に螺結される蓋部材を備えており、
前記半割体の前記口部に対応する側の端部には、前記口部の延びる方向に沿って立ち上がるように形成された周壁部が設けられており、
前記周壁部は、前記蓋部材が前記口部に螺結されたときには、前記蓋部材に外周側から覆われる形態で、前記蓋部材と嵌合する請求項１乃至５のいずれか１項に記載の外装容器。
【請求項７】
前記蓋部材の内周面には、前記蓋部材の内側方向に突出するように形成された蓋側突起が設けられており、前記蓋側突起は、前記内周面の周方向に沿って複数配設されており、
前記周壁部の外周面には、周方向に沿って形成された溝部と、前記溝部を幅方向に架け渡すように形成されたリブと、が設けられており、
前記溝部は、前記蓋部材が前記口部に螺結されたときには、前記複数の蓋側突起がそれぞれ嵌るように設けられており、
前記リブは、前記蓋部材が前記口部に螺結されたときには、前記複数の蓋側突起の間に位置するように設けられている請求項６に記載の外装容器。
【請求項８】
本外装容器が、自立するように、底面を備える請求項１乃至７のいずれか１項に記載の外装容器。
【請求項９】
前記内容物の形態が、液状、ペースト状又はゼリー状である請求項１乃至８のいずれか１項に記載の外装容器。
【請求項１０】
前記内容物が、接着剤である請求項９に記載の外装容器。
【請求項１１】
請求項８に記載の外装容器を用いることを特徴とするチューブ容器用スタンド。
【発明の詳細な説明】
【技術分野】
【０００１】
本発明は、外装容器及びチューブ容器用スタンドに関する。更に詳しくは、容器構造が簡単であり、外装容器に保持されるチューブ容器内の内容物の絞り残しの抑制に優れる外装容器及びチューブ容器用スタンドに関する。
【背景技術】
【０００２】
従来、液状、ゼリー状及びペースト状等の接着剤やコーティング材等を収納する容器として、金属チューブ製容器が用いられている。この金属チューブ製容器は、有機溶剤等に対する耐薬品性に優れ、且つ、湿分を透過させ難く、内容物と空気中の湿分とが遮断されるため、内容物の保存安定性にも優れている。また、容易に塑性変形させることができ、内容物を押し出し易いため、接着剤、硬化剤、コーティング剤等を充填し、保存する容器として多用されている。
しかし、この金属チューブ製容器は、局部的に大きく変形させると容器が破損し、内容物が漏出する危険がある。そこで、金属チューブ製容器についてプラスチック製の被覆体を用いることにより、金属チューブ製容器の破損や内容物の漏出を防止する方法が知られている。【０００３】
例えば、下記特許文献１には、金属チューブ製容器の少なくとも一部が、プラスチック体で覆われている液状物質用容器が記載されている。また、特許文献２には、内側容器と外套容器との間に圧力媒体を介在させた低粘度液体用複合容器が記載されている。また、特許文献３には、ケーシングとスクイーザーとを係合させた構造の変形可能チューブから物質を絞り出すための装置が記載されている。更に、特許文献４には、樹脂製外套容器の片側側面に、収容するアルミニウム製容器を間接押圧するための変形可能な切欠部を設けた接着剤用複合容器が記載されている。
【先行技術文献】
【特許文献】
【０００４】
【特許文献１】実開昭５５−８４２４０号公報
【特許文献２】特開平６−１９１５４３号公報
【特許文献３】米国特許第６３１５１６５号公報
【特許文献４】特開２００３−２２６３７４号公報
【発明の概要】
【発明が解決しようとする課題】
【０００５】
しかし、上記特許文献１に記載された被覆体は、切り込みを入れる等の加工が施してあり、機能的ではあるが、装着性や外観の向上には配慮されていない。また、特許文献２及び３に記載された複合容器は、内容物の絞り出しが困難であり、内容物が金属チューブ製容器内に残留しやすいという問題がある。また、ゼリー状やペースト状等の高粘度の液体を使用した場合、塗布量の調整が難しい。更に、構造が複雑で生産性に劣る等の問題もある。また、特許文献４に記載された複合容器は、金属チューブ製容器内の吐出口付近及び下部の内容物の絞り出しが困難であり、金属チューブ製容器内に内容物が残留しやすいという問題がある。
本発明は、上記現状に鑑みてなされたものであり、容器構造が簡単でありながら、外装容器に保持されるチューブ容器内における内容物の絞り残しの抑制に優れる外装容器及びチューブ容器用スタンドを提供に関することを目的とする。
【課題を解決するための手段】
【０００６】
本発明は、以下の通りである。
１．平面部と口部とが設けられたチューブ容器の内容物が収納されたチューブ容器本体の外側を囲むように配される外装容器であって、
本外装容器は、一対の半割体が組み合わされてなり、
前記各半割体は、開口部と、該開口部の下部に連結され、且つ、該開口部内に配設された、前記チューブ容器本体を押圧可能な舌片と、を備え、
前記舌片は、前記チューブ容器の前記平面部側を両側から挟むように固定する挟持部と、前記チューブ容器の前記平面部側から前記口部側に向かうにつれて広がるように対向して設けられている押圧板部と、を有することを特徴とする外装容器。
２．前記押圧板部が、前記挟持部から前記チューブ容器の前記口部側に向けて延設されている上記１．に記載の外装容器。
３．本外装容器が、前記チューブ容器の前記口部側を保持するリング状の保持部を有している上記１．又は上記２．に記載の外装容器。
４．本外装容器の底部に、凹状のくぼみによる指当て部が設けられている上記１．乃至上記３．のいずれかに記載の外装容器。
５．前記一対の半割体の一方には、凸状に形成された突起が設けられており、前記一対の半割体の他方には、前記突起と嵌合可能な凹状に形成された受け孔が設けられており、
前記一対の半割体は、前記突起と前記受け孔とを嵌合させることにより組み合わされており、
前記突起には、先割れ形状のスリットが形成されており、
前記受け孔内には、前記突起と前記受け孔とが嵌合したときに前記スリット内に進入する楔が設けられている上記１．乃至上記４．のいずれかに記載の外装容器。
６．前記チューブ容器は、前記口部の外周面にネジが形成されているとともに、前記口部に螺結される蓋部材を備えており、
前記半割体の前記口部に対応する側の端部には、前記口部の延びる方向に沿って立ち上がるように形成された周壁部が設けられており、
前記周壁部は、前記蓋部材が前記口部に螺結されたときには、前記蓋部材に外周側から覆われる形態で、前記蓋部材と嵌合する上記１．乃至上記５．のいずれかに記載の外装容器。
７．前記蓋部材の内周面には、前記蓋部材の内側方向に突出するように形成された蓋側突起が設けられており、前記蓋側突起は、前記内周面の周方向に沿って複数配設されており、
前記周壁部の外周面には、周方向に沿って形成された溝部と、前記溝部を幅方向に架け渡すように形成されたリブと、が設けられており、
前記溝部は、前記蓋部材が前記口部に螺結されたときには、前記複数の蓋側突起がそれぞれ嵌るように設けられており、
前記リブは、前記蓋部材が前記口部に螺結されたときには、前記複数の蓋側突起の間に位置するように設けられている上記６．に記載の外装容器。
８．本外装容器が、自立するように、底面を備える上記１．乃至上記７．のいずれかに記載の外装容器。
９．前記内容物の形態が、液状、ペースト状又はゼリー状である上記１．乃至上記８．のいずれかに記載の外装容器。
１０．前記内容物が、接着剤である上記９．に記載の外装容器。
１１．上記８．に記載の外装容器を用いることを特徴とするチューブ容器用スタンド。
【発明の効果】
【０００７】
本発明の外装容器によると、一対の半割体が組み合わされてなり、その半割体は、それぞれ、開口部と、開口部の下部に連結され、且つ、開口部内に配設された、チューブ容器本体を押圧可能な舌片と、を備え、この舌片は、チューブ容器の平面部側を両側から挟むように固定する挟持部と、チューブ容器の平面部側から口部側に向かうにつれて広がるように対向して設けられている押圧板部と、を有することから、外装容器の構造が簡単で生産性に優れ、且つ、保持されるチューブ容器の装着性に優れると共に、チューブ容器内における内容物の絞り残しの抑制に優れる外装容器とすることができる。また、外装容器内部に保持されるチューブ容器の外観が露出されず意匠性に優れる。
また、本外装容器における押圧板部が、挟持部からチューブ容器の口部側に向けて延設されている場合、内部のチューブ容器本体を効率的に押圧することができ、内容物の絞り残しの抑制により優れると共に、内容物の吐出量の調整にも優れる外装容器とすることができる。
また、本外装容器が、チューブ容器の口部側を保持するリング状の保持部を有している場合には、内部のチューブ容器が安定して保持されることから、操作性及びチューブ容器の装着性により優れる外装容器とすることができる。
更に、本外装容器の底部に、凹状のくぼみによる指当て部が設けられている場合には、内部のチューブ容器本体を下部方向から効率的に押圧することができ、内容物の絞り残しの抑制により優れる外装容器とすることができる。
また、一対の半割体の一方には、凸状に形成された突起が設けられており、一対の半割体の他方には、突起と嵌合可能な凹状に形成された受け孔が設けられており、一対の半割体は、突起と受け孔とを嵌合させることにより組み合わされており、突起には、先割れ形状のスリットが形成されており、受け孔内には、突起と受け孔とが嵌合したときにスリット内に進入する楔が設けられている場合は、突起と受け孔とが嵌合することにより、半割体同士を確実に組み合わせることができる。また、スリットと楔により、突起と受け孔との嵌合をより確実なものとすることができる。
更に、チューブ容器は、口部の外周面にネジが形成されているとともに、口部に螺結される蓋部材を備えており、半割体の口部に対応する側の端部には、口部の延びる方向に沿って立ち上がるように形成された周壁部が設けられており、周壁部は、蓋部材が口部に螺結されたときには、蓋部材に外周側から覆われる形態で、蓋部材と嵌合する場合は、周壁部の外周と蓋部材の内周が嵌合することにより、半割体同士の結合を高めることができる。
また、蓋部材の内周面には、蓋部材の内側方向に突出するように形成された蓋側突起が設けられており、蓋側突起は、内周面の周方向に沿って複数配設されており、周壁部の外周面には、周方向に沿って形成された溝部と、溝部を幅方向に架け渡すように形成されたリブと、が設けられており、溝部は、蓋部材が口部に螺結されたときには、複数の蓋側突起がそれぞれ嵌るように設けられており、リブは、蓋部材が口部に螺結されたときには、複数の蓋側突起の間に位置するように設けられている場合は、蓋側突起が溝部に嵌ることにより、蓋部材と周壁部との結合をより確実なものとすることができる。また、蓋側突起とリブが設けられていることにより、蓋部材を螺結させてゆく際に、蓋側突起がリブと干渉しつつ回転する感覚を得ることができる。これにより、蓋部材を確実に螺結させたことを認識することができる。更に、螺結完了時には、蓋側突起の間にリブが位置することにより、蓋部材の緩みを防止することができる。
更に、本外装容器が、自立するように、平面状に形成された底面（底部の底端面）を備える場合には、内容物を収納したチューブ容器を自立した状態で保管することが可能であり、チューブ容器内の内容物の目的物以外への付着が抑制され、作業性及び保管性に優れる外装容器とすることができる。
また、内容物の形態が、液状、ペースト状又はゼリー状である場合、チューブ容器本体を押圧可能な舌片の簡便な操作性により、内容物の吐出量の調整を容易に行うことができる。
更に、内容物が、接着剤である場合、被接着体への塗布量の調整を容易に行うことができ、作業性に優れる。
また、本発明のチューブ容器用スタンドは、平面状に形成された底面を備える外装容器であることから、自立してチューブ容器を保管することができ、且つ意匠性に優れ、作業性及び保管性に優れるチューブ容器用スタンドとすることができる。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】ノズル及びキャップを備えるチューブ容器を保持した実施例に係る外装容器の正面図である。
【図２】ノズル及びキャップを備えるチューブ容器を保持した実施例に係る外装容器の斜視図である。
【図３】ノズル及びキャップを備えるチューブ容器を保持した実施例に係る外装容器の分解斜視図である。
【図４】図１における、ノズル及びキャップを備えるチューブ容器を保持した実施例に係る外装容器のＡ−Ａ線部分断面である。
【図５】図４におけるＢ部分の拡大図である。
【図６】実施例に係る外装容器の正面図である。
【図７】実施例に係る外装容器の側面図である。
【図８】実施例に係る外装容器の平面図である。
【図９】実施例に係る外装容器の底面図である。
【図１０】実施例に係る外装容器の斜視図である。
【図１１】実施例における一方の半割体の側面図である。
【図１２】実施例に係る外装容器の内壁面を表す一方の半割体の背面図である。
【図１３】実施例における一方の半割体の平面図である。
【図１４】実施例における一方の半割体の底面図である。
【図１５】実施例における一方の半割体の斜視図である。
【図１６】ノズル及びキャップを備えるチューブ容器を保持した実施例に係る外装容器の側面図である。
【図１７】他の実施例における一方の半割体の内壁面が表される斜視図である。
【図１８】図１７におけるＣ部分の拡大図である。
【図１９】図１７におけるＤ部分の拡大図である。
【図２０】他の実施例に係る外装容器の底部の拡大斜視図である。
【図２１】他の実施例に係る一方の半割体の部分拡大斜視図である。
【図２２】他の実施例に係る一方の半割体の部分拡大斜視図である。
【図２３】他の実施例に係る外装容器の作用を説明するための説明図である。
【図２４】他の実施例に係る外装容器の作用を説明するための説明図である。
【図２５】他の実施例に係る外装容器の部分拡大斜視図である。
【図２６】他の実施例に係る、ノズル及びキャップを備えるチューブ容器、並びにそのチューブ容器を保持した状態の外装容器であって、チューブ容器にノズルを取着する前の状態を示す部分拡大片側縦断面図である。
【図２７】他の実施例に係る、ノズル及びキャップを備えるチューブ容器、並びにそのチューブ容器を保持した状態の外装容器であって、チューブ容器にノズルを取着する前の状態を示す部分拡大一部縦断面図である。
【図２８】他の実施例に係る、ノズル及びキャップを備えるチューブ容器、並びにそのチューブ容器を保持した状態の外装容器であって、チューブ容器にノズルを取着した状態を示す部分拡大片側縦断面図である。
【図２９】図２８におけるＥ部分の拡大図である。
【図３０】図２８におけるＦ−Ｆ線部分断面である。
【発明を実施するための形態】
【０００９】
ここで示される事項は例示的なもの、及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
１．外装容器
本発明の外装容器は、平面部と口部とが設けられたチューブ容器の内容物を収納するチューブ容器本体の外側を囲むように配される外装容器であって、本外装容器は、一対の半割体が組み合わされてなり、各半割体は、開口部と、開口部の下部に連結され、且つ、開口部内に配設された、チューブ容器本体を押圧可能な舌片と、を備え、舌片は、チューブ容器の平面部側を両側から挟むように固定する挟持部と、チューブ容器の平面部側から口部側に向かうにつれて広がるように対向して設けられている押圧板部と、を有することを特徴とする。
【００１１】
本発明の外装容器は、内部に保持されるチューブ容器を保護し、チューブ容器内の内容物を押し出す容器として用いられる。本発明の外装容器としては、例えば、図１〜図３等に示されるように、一対の半割体が組み合わされてなり、外装容器内部に保持されるチューブ容器の本体の外側を囲むように形成されている。
外装容器を構成する半割体は、開口部と舌片とを備え、舌片は開口部の下部に連結されると共に、開口部内に配設されている（例えば、図６等参照）。
【００１２】
開口部は、内部に舌片を配設されるように、それぞれの半割体に１個形成され、その開口部の下部に連結された舌片を１個備える。また、開口部の位置、大きさ、形状等は、特に限定されない。例えば、開口部としては、半割体の外形に沿って、半割体の中央部に設ける形態が挙げられる（例えば、図６、図１０等参照）。
【００１３】
舌片は、チューブ容器本体を押圧可能に形成され、且つ、チューブ容器の口部側に向かうにつれて、舌片同士の間隔が広がるように対向して設けられている。そして、舌片は、チューブ容器の一端側の平面形状とされた平面部側を固定する挟持部と、チューブ容器の平面部側から口部側に向かうにつれて広がるように対向して設けられている押圧板部と、を有する。舌片が備える挟持部は、チューブ容器の平面部側を両側から挟むように固定するように設けられている。
即ち、本発明における挟持部は、外装容器内に保持されるチューブ容器の平面部側を挟持して、チューブ容器の下部を固定することができる（例えば、図４等参照）。また、押圧板部は、舌片の一部を構成して、チューブ容器本体を押圧可能に形成されている（例えば、図４等参照）。
【００１４】
舌片の大きさ、形状等は、特に限定されない。例えば、舌片の形状としては、下部が屈曲した形状（Ｌ字形状）を有し、挟持部と、押圧板部と、を備える形態が挙げられる（例えば、図４、図１０等参照）。この舌片の屈曲部分が、挟持部を形成し、２つの半割体が組み合わされることにより、屈曲部分である挟持部が、チューブ容器の一端側の平面形状とされた平面部側を両側から挟むように固定することができる。
【００１５】
また、舌片に形成される押圧板部としては、挟持部からチューブ容器の他端側である口部側に向けて延設され、挟持部を支点に片持ち状に設けることができる。そして、押圧板部は、もう一方の半割体が備える押圧板部とにより、Ｖ字状に形成され、それぞれの押圧板部は、チューブ容器の平面部側から口部側に向かうにつれて広がるように設けることができる（例えば、図４、図７等参照）。そして、外装容器が備える２枚の押圧板部は、押圧により撓曲可能に形成されおり、２枚の押圧板部を押圧することで、チューブ容器本体の一面側及び他面側が、２枚の押圧板部により挟まれることにより圧力を受けて、チューブ容器の内容物が吐出される。この場合、チューブ容器の平面部側の下部を接触して固定している挟持部が、押圧板部の支点となって、チューブ容器本体を押圧するため、チューブ容器内の内容物を効率よく吐出させることができる。
また、押圧板部を含む舌片の形状としては、開口部の下部に連結され、開口部の形状に沿った形状とすることができるが、チューブ容器本体全体を押圧可能となる大きさ及び形状とすることが好ましい（例えば、図３等参照）。
【００１６】
また、本外装容器は、チューブ容器と接触する内面に、チューブ容器を固定する固定部を設けることができる。この固定部としては、挟持部と同様に、チューブ容器の平面部側周辺を挟むように固定する突起状のリブとすることができる。また、固定部の数や位置は、特に限定されないが、挟持部周辺や外装容器の内側の下部に設けることが好ましい（例えば、図５、図１２及び図１９等参照）。
更に、挟持部においては、チューブ容器の平面部側周辺の挟持を補助する補助挟持部を設けることができる。この補助挟持部としては、例えば、挟持部を構成する舌片の屈曲部形状に沿って、帯状（棒状）に突出させたリブとすることができる（例えば、図１７及び図１９等参照）。この補助挟持部を設けることにより、より安定して、チューブ容器の平面部側周辺を挟持して固定することができる。
【００１７】
また、本外装容器は、その上部において、チューブ容器の口部側（チューブ容器の肩）を保持するリング状の保持部を設けることができる。この保持部としては、各半割体の上部を半リング状に形成し、２つの半割体を係止することにより、外装容器の上部にリング状の保持部を形成することができる。外装容器が、リング状の保持部を有している場合には、内部のチューブ容器を安定して保持することができる（例えば、図４及び図８等参照）。
【００１８】
また、本外装容器は、上記保持部において、チューブ容器と接触する内面に、チューブ容器を固定するリブ状の拘止部を設けることができる。この拘止部は、チューブ容器の肩に食い込むように、チューブ容器を押さえて固定することができる。拘止部が、保持部に更に設けられると、チューブ容器の口部側の肩（口部周辺）がより固定され、チューブ容器の外装容器からの脱落を防止することができる（例えば、図１７及び図１８等参照）。
【００１９】
本発明の外装容器は、底面（底端面）を平面状に形成することができる。底面が平面状にされることにより、外装容器を自立させて、立てて置くことができる。外装容器を立てて置くことにより、チューブ容器内の内容物の塗布物以外への付着を効果的に防止することができる。また、この場合、外装容器の底部が台座状であると、より安定した自立が可能となることからより好ましい（例えば、図１６等参照）。
更に、底端面には、外装容器の安定した自立をより可能にするものとして、お椀状、皿状、曲面状、半球状等に形成された突起部からなる足を設けることができる。この突起部を設ける場合、底端面の四隅に設置することが好ましい。これにより、外装容器を自立させた場合でも、がたつくことがなく、より安定した自立を可能とすることができる（例えば、図２０等参照）。
【００２０】
また、外装容器の底部には、凹状のくぼみ等による指当て部を形成することができる。底部にくぼみ形状の指当て部が形成されている場合には、舌片及び押圧板部を押圧する際に、舌片及び押圧板部の下部からの押圧がより可能となり、チューブ容器の平面部側からより効率的に圧力をかけることができる。これにより、内容物の絞り残しの抑制により優れる外装容器とすることができる（例えば、図２等参照）。
【００２１】
本発明の外装容器は、一対の半割体を組み合わせてなることから、半割体としては係止部を有する形態が挙げられる。この係止部としては、２つの半割体（一対の半割体）を係止して、外装容器を形成することができる限り、係止部の形状、個数等は、特に限定されない。この係止部の形状としては、例えば、凸状に形成された突起と、この突起と相補的な受け孔とによる形状が挙げられる。また、この場合、一対の半割体としては、同一形状からなる２つの半割体とすることができる（例えば、図３、図４参照）。
【００２２】
上記突起及び上記受け孔の形状、大きさ等は特に問わない。突起には、例えば、先割れ形状のスリットが形成されていることができる（例えば、図２１〜図２４等参照）。この場合、上記受け孔内には、例えば、突起と受け孔とが嵌合したときに上記スリット内に進入する楔が設けられていることができる（例えば、図２１〜図２４等参照）。
また、上記半割体は、例えば、所定の中心線を通る面に対して略対称な形状とされており、本外装容器は、一対の半割体の同一部位となる突き合わせ面部同士を突き合わせて組み合わせるように構成されていることができる（例えば、図３、図１２等参照）。
【００２３】
ここで、本外装容器としては、例えば、一の半割体と、一の半割体に対となる半割体と、が、同一形状であるとともに、同一部位となる突き合わせ面部同士を突き合わせて組み合わせることにより本外装容器を形成しており、突き合わせ面部には上記係止部が設けられており、係止部は、上記突起、又は突起と嵌合可能な凹状に形成された上記受け孔であり、係止部は、突起と、受け孔と、を一対とする形態で複数対が設けられており、対となる突起及び受け孔は、所定の中心線に対して線対称となる位置にそれぞれ設けられている形態であることができる（例えば、図３、図１２等参照）。
【００２４】
また、本外装容器は、例えば、上記半割体が、上記チューブ容器の口部に対応する側の端部に、口部の延びる方向に沿って立ち上がるように形成された周壁部を備える形態であることができる（例えば、図２５〜図２７等参照）。上記周壁部の構成等は特に問わない。周壁部は、例えば、その外周面に、周方向に沿って形成された溝部が設けられている形態であることができる。また、この場合、溝部を幅方向に架け渡すように形成されたリブが設けられていることができる。
上記溝部の断面形状、大きさ、個数等は特に問わない。また、上記リブの形状、大きさ、個数等は特に問わない。
【００２５】
半割体の形成方法は、射出成形、押出成形等により一体的に形成する方法が挙げられる。また、開口部が形成される前の、外装容器を構成する半割状の成型体に対して、開口部及び舌片を形成するように、コの字状に切り込みを入れることにより、開口部と舌片とを有する半割体とすることもできる。
外装容器の素材としては、舌片が押圧されることにより内部のチューブ容器本体を押圧可能とする、撓曲可能な合成樹脂等が好ましい。このような合成樹脂としては、ポリエチレン、ポリプロピレン、ポリ塩化ビニル、ポリエチレンテレフタレート、ポリ塩化ビニリデン、ポリスチレン、ポリ酢酸ビニル、アクリロニトリルブタジエンスチレン樹脂、アクリル樹脂、ポリアミド等が挙げられる。
【００２６】
本発明の外装容器に保持されるチューブ容器としては、例えば、図３に示されるように、一端側に、押しつぶされて平面状に形成された閉塞部分である平面部と、他端側には、チューブ容器内に収納される内容物が吐出される吐出口を有する口部と、内容物が収容されるチューブ容器本体と、を備えるチューブ容器が挙げられる。
チューブ容器は、内容物を収納する容器であり、チューブ容器本体が押圧等により圧力を受けることにより、他端側の口部に形成されている吐出口より内容物が吐出される。また、チューブ容器の一端側である平面部は、内容物を充填した後に、押しつぶされて、あるいは、押しつぶされた後に折り返されて、平面状に形成されることにより閉塞されている。
【００２７】
チューブ容器の素材としては、内容物に対して不活性で、かつ、浸透あるいは透過性のない素材が好ましい。このような素材としては、例えば、ポリエチレン、ポリプロピレン、エチレン−酢酸ビニル共重合樹脂、ナイロン、エチレン−ビニルアルコール共重合樹脂、ポリエチレンテレフタレート及びポリオレフィン系樹脂等の合成樹脂、あるいは、アルミニウム、錫、鉛等の金属等の材料が挙げられる。これらのうち、チューブ容器としては、具体的には、上記金属の金属製チューブ容器、あるいは、上記金属と、上記合成樹脂あるいは積層フィルム、インク、紙、プラスチックフィルム等とのラミネートチューブ容器等が好ましく用いられる。
【００２８】
また、チューブ容器としては、例えば、蓋部材を備えることができる。この蓋部材は、通常、チューブ容器の口部に取着される。蓋部材の構成等は特に限定されないが、例えば、図３及び図４に示されるように、内容物が吐出されるノズルである形態や、単に口部に取着され、内容物の吐出を防止する蓋である形態等であることができる。なお、蓋部材がノズルである場合は、ノズルを閉塞するキャップ（蓋体）を更に備えていてもよい。蓋部材の取着形態としては、例えば、螺合による取着（例えば、図４、図２４〜２６等参照）等であることができる。
また、蓋部材は、例えば、その内周面に、蓋部材の内側方向に突出するように形成された蓋側突起が設けられていることができる。この蓋側突起は、例えば、内周面の周方向に沿って複数配設されていることができる（例えば、図２６、図２７、図３０等参照）。
【００２９】
本発明におけるチューブ容器が適用できる内容物の形態としては、特に限定されず、液状、ペースト状又はゼリー状等の内容物について良好に用いることができる。これらのうち、本発明においては、内容物の吐出量の調整を容易に行うことができることから、ペースト状又はゼリー状の高粘度の内容物についても好適に用いることができる。
また、本発明におけるチューブ容器が適用できる内容物としては、特に限定されないがが、例えば、接着剤、硬化剤、コーティング剤、靴墨、ワックス等の化成品、山葵、生姜、辛子、大蒜、チョコレート等の食料品、練り歯磨き、化粧品、髪染め等の日用品、軟膏等の医薬品、絵の具等の文具等が挙げられる。これらのうち、チューブ容器の内容物としては、接着剤が好ましく、具体的には、２−シアノアクリレート系接着剤、エポキシ樹脂系接着剤、ゴム系接着剤、ウレタン樹脂系接着剤、シリコーン樹脂系接着剤が挙げられる。これらのうち、２−シアノアクリレート系接着剤のような瞬間接着剤に好適に用いることができる。
【００３０】
ここで、本実施形態に係る外装容器は、例えば、チューブ容器の口部の外周面にはネジが形成されているとともに、チューブ容器には口部に螺結される蓋部材が備えられており、半割体の口部に対応する側の端部には、上記周壁部が設けられており、周壁部は、蓋部材が口部に螺結されたときには、蓋部材に外周側から覆われる形態で、蓋部材と嵌合する形態であることができる（例えば、図２８、図２９等参照）。
また、本実施形態に係る外装容器は、例えば、上記蓋部材の内周面に上記蓋側突起が設けられており、蓋側突起は内周面の周方向に沿って複数配設されており、上記周壁部の外周面には、上記溝部と、上記リブと、が設けられており、溝部は、蓋部材が口部に螺結されたときには、複数の蓋側突起がそれぞれ嵌るように設けられており、リブは、蓋部材が口部に螺結されたときには、複数の蓋側突起の間に位置するように設けられている形態であることができる（例えば、図２８〜図３０等参照）。
【００３１】
２．チューブ容器用スタンド
本発明のチューブ容器用スタンドは、平面状に形成された底面を備える外装容器である。
本チューブ容器スタンドは、チューブ容器を内部に保持することから、チューブ容器の全体外観が露出することなく、意匠性並びに作業性及び保管性に優れるチューブ容器用スタンドとすることができる（例えば、図４、図１６等参照）。
また、本チューブ容器用スタンドは、底面が平面に形成されていることから、自立して立てて置くことができ、内容物の余分な付着を防止することができる。
【実施例】
【００３２】
以下、図面を用いて実施例により本発明を具体的に説明するが、本発明は、これらの実施例に何ら制約されるものではない。【００３３】
（１）外装容器
実施例１
本実施例に係る外装容器１は、図１〜１６に示されるように、一対の半割体（半割体３ａ及び半割体３ｂ）が組み合わされて構成されると共に、チューブ容器２の本体２１の外側を囲むようにして、外装容器１の内部にチューブ容器２を保持できるように形成されている。
半割体３ａ及び３ｂは、図３に示されるように、同一形状で形成されている。半割体３ａ及び３ｂは、図３及び図１２に示すように、所定の中心線ＣＬを通る面に対して略対称な形状とされており、同一部位となる突き合わせ面部同士を突き合わせて組み合わせるように構成されている。半割体３ａ及び３ｂの各突き合わせ面部には、半割体３ａ及び３ｂ同士を係止するための係止部３１が設けられている。係止部３１は、凸状に形成された突起３１１、又は突起３１１と嵌合可能な凹状に形成された受け孔３１２とされている。係止部３１は、これら突起３１１と、受け孔３１２と、を一対とする形態で複数対（図１２中２対）が設けられている。そして、対となる突起３１１及び受け孔３１２は、所定の中心線ＣＬに対して対称となる位置にそれぞれ設けられている。これにより、同一形状に形成された半割体３ａ及び３ｂの突き合わせ面部同士を突き合わせたときに、半割体３ａ及び３ｂの一方に設けられた突起３１１と、他方に設けられた受け孔３１２と、を嵌合させて組み合わせることができるようになっている。【００３４】
また、半割体３ａ及び３ｂは、それぞれ、開口部４ａ及び４ｂと、舌片５ａ及び５ｂと、を備える。舌片５ａ及び５ｂは、それぞれ、開口部４ａ及び４ｂの下部に連結されると共に、開口部４ａ内及び開口部４ｂ内に配設されている。
舌片５（５ａ及び５ｂ）は、図４及び図５に示されるように、下部が屈曲した形状（Ｌ字形状）を有し、それぞれ、挟持部６ａ及び６ｂと、押圧板部７（７ａ及び７ｂ）と、を備えている。そして、舌片５ａ及び５ｂは、チューブ容器２の口部２３側に向かうにつれて広がるように対向して設けられている。【００３５】
また、図４及び図５に示されるように、舌片５（５ａ、５ｂ）が有する屈曲部分が、挟持部６（６ａ、６ｂ）を形成している。半割体３ａ及び３ｂが、係止により組み合わされることにより、屈曲部分である挟持部６ａ及び６ｂが、チューブ容器２の平面状とされた一端側２２を両側から挟むように固定する。また、図５及び図１２に示されるように、挟持部６ａ及び６ｂには、更に、突起状のリブからなる固定部６１がそれぞれ４個形成され、チューブ容器２がより安定して固定されている。また、半割体３ａ及び３ｂの内側の下部に、突起状のリブからなる固定部６２がそれぞれ４個形成されている。チューブ容器２と接触する内面に、チューブ容器２を固定する固定部６１及び６２が設けられ、チューブ容器２の平面部側２２周辺を挟むように固定している。【００３６】
押圧板部７ａ及び７ｂは、それぞれ、挟持部６ａ及び６ｂからチューブ容器２の口部２３側に向けて延設され、挟持部６ａ及び６ｂを支点に片持ち状に設けられている。そして、押圧板部７ａと押圧板部７ｂとの間隔が、チューブ容器２の平面部２２側から口部２３側に向かうにつれて広がるように、押圧板部７ａと押圧板部７ｂとは、Ｖ字状に形成されている。また、押圧板部７ａ及び７ｂの幅は、先端部にかけて、開口部４ａ及び４ｂの形状に従って、細くなるように形成されている。また、押圧板部７ａ及び７ｂの厚さは、押圧板部の中心部から先端部にかけて、徐々に厚くなるように設けられていると共に、押圧板部７ａ及び押圧板部７ｂは、チューブ容器本体２１の一面側及び他面側にそれぞれ接触するように形成され、チューブ容器本体２１の一面側及び他面側のそれぞれの全体面を均一に押圧可能に配設されている。【００３７】
また、押圧板部７（７ａ、７ｂ）は、挟持部６（６ａ、６ｂ）が支点となって、可動するように形成されており、押圧板部７ａと押圧板部７ｂとを押圧することで、チューブ容器２の一面側及び他面側が、押圧板部７ａと押圧板部７ｂとにより圧力を受けて、チューブ容器２の内容物が口部２３に備える吐出口（図示せず）より吐出される。【００３８】
半割体３ａ及び３ｂの上部は、半リング状（１１ａ及び１１ｂ）に形成されている。半割体３ａ及び３ｂが係止されて、外装容器１の上部に、チューブ容器２の肩部２４（チューブ容器本体２１の口部２３側）を保持するリング状の保持部１１が形成される。保持部１１は、半リング状（１１ａ及び１１ｂ）がチューブ容器２の肩部２４を両側から挟むようにして、チューブ容器２を保持している。【００３９】
また、本実施例の外装容器１は、図４及び図５に示されるように、その底部１２が台座状に形成され、且つ、底面（底部の底端面）が、形成されている。また、この底面には、図５及び図９に示されるように、凹状のへこみ部１３が設けられており、この凹状のへこみ部１３にコイン等を挿入することにより、容易に外装容器１を解体することができる。更に、外装容器１の底部には、図２等に示されるように、凹状のくぼみによる指当て部３４が、それぞれの半割体３ａ及び３ｂに形成されている。【００４０】
チューブ容器２は、アルミチューブ容器である。また、チューブ容器２は、ノズル（本発明に係る蓋部材として例示する）８及びキャップ９を備えており、口部２３には雄ねじが形成されている。ノズル８には口部２３の雄ねじに対応する雌ねじが形成され、ノズル８は、吐出口を有する口部２３に螺合されている。また、キャップ９は着脱自由に、ノズル８に係合され、チューブ容器内の密閉性を維持している。
また、チューブ容器２内に収容される収容物は、ゼリー状の瞬間接着剤であり、その内容量は４ｇである。【００４１】
実施例２
本実施例２に係る外装容器１は、図１７〜１９に示されるように、実施例１における外装容器１の形状に加えて、更に、拘止部拘拘及び３３、並びに、補助挟持部６３を備える。拘止部３２及び３３は、保持部１１におけるチューブ容器２と接触する部分に形成されている。拘止部３２としては、三角錐状のリブが形成されている。また、拘止部３３としては、保持部１１のリング形状に沿って、湾曲した角棒状のリブが形成されている。拘止部３２及び３３により、チューブ容器２の肩に食い込むように、チューブ容器２を押さえて固定し、チューブ容器２の外装容器１からの脱落を防止している。
また、補助挟持部６３は、挟持部６におけるチューブ容器２と接触する部分に形成されている。補助挟持部６３としては、挟持部６に形成されている４つの固定部６１のうち、中心部の２つの固定部６１を繋ぐように、棒状のリブが形成され、チューブ容器２の平面部２２側周辺の挟持を補助している。【００４２】
実施例３
本実施例３に係る外装容器１は、図２０に示されるように、実施例１における外装容器１の形状に加えて、更に、底部１２の底端面に、皿状（半球状）に形成された４つの突起部１４を備える。【００４３】
実施例４
本実施例４に係る外装容器１は、実施例１の外装容器１と略同様の構成であることに加えて、図２１〜図２４に示すように、突起３１１に先割れ形状のスリット３１３が形成されているとともに、受け孔３１２に楔３１４が設けられている。そして、突起３１１と受け孔３１２とを嵌合させるときには、スリット３１３が形成されていることにより突起３１１が変形し、突起３１１の受け孔３１２への挿入が容易となる。また、嵌合したときには、楔３１４がスリット３１３に進入して突起３１１を押し広げた状態となり、嵌合がより確実になる。【００４４】
実施例５
本実施例５に係る外装容器１は、実施例１の外装容器１と略同様の構成であることに加えて、図２５〜図２６に示すように、半割体３ａ及び３ｂには、周壁部３５が設けられている。周壁部３５は、チューブ容器２の口部２３に対応する側の端部に設けられており、口部２３の延びる方向に沿って立ち上がるように形成されている。そして、周壁部３５は、ノズル８が口部２３に螺結されたときには、図２８及び図２９に示すように、ノズル８に外周側から覆われる形態でノズル８と嵌合するようになっており、半割体３ａ及び半割体３ｂが組み合わされた状態を保持することができるようになっている。また、この周壁部３５は、図２６に示すように、チューブ容器２の肩部２４を上方から抑えるように設けられており、チューブ容器２が外装容器１から抜けることを防止できるようになっている。【００４５】
また、周壁部３５の外周面には、周方向に沿って形成された溝部３６と、溝部３６を幅方向に架け渡すように形成されたリブ３７と、が設けられている。また、本実施例５に係るノズル８の内周面には、内側方向に突出するように形成された蓋側突起８１が設けられている。蓋側突起８１は、図２４及び図２５に示すように、内周面の周方向に沿って、全周に渡って等間隔に、複数配設されている。そして、ノズル８が口部２３に螺結されたときには、図２６及び図２７に示すように、溝部３６は、蓋側突起８１のそれぞれが嵌るように設けられており、リブ３７は、図２６及び図２８に示すように、蓋側突起８１の間に位置するように設けられている。【００４６】
なお、図２６〜図２８に示すように、本実施例において、チューブ容器２の口部２３には、ノズル８が螺合される前の状態では、チューブ容器２の内容物を封止するための封止膜２３１が設けられており、これによりチューブ容器２は密封状態とされている。そして、ノズル８を口部２３に螺合させることによって、ノズル８の接続部８２により封止膜２３１が破られ、チューブ容器２が開封される。従って、使用者がノズル８を口部２３に螺結すると、螺合に伴って蓋側突起８１がリブ３７を乗り越える感覚が感知されるとともに、蓋側突起８１が溝部３６に嵌る感覚が感知されることによって、チューブ容器２が開封され、使用可能な状態となったことを認識することができるようになっている。【００４７】
（２）残量評価試験
実施例１の外装容器１にチューブ容器２が保持された状態で、押圧板部７の押圧により接着剤が吐出できるまで押し出して使用した。その後、チューブ容器２を外装容器１から取り出して、チューブ容器２内に残留している接着剤の残量を計測し、下記に示される残量率を算出した。
残量率（％）＝（使用後のチューブ容器内の接着剤残量（ｇ）／チューブ容器内の接着剤残量（ｇ））×１００
上記により、得られた残量率から、下記の基準で残量評価について判定した。その結果を表１に示す。
○：残量率が３０質量％未満であった。
×：残量率が３０質量％以上、５０質量％未満下であった。
××：残量率が５０質量％以上であった。【００４８】
比較例１
上記特許文献３に記載の容器に相当する容器を用いて、実施例１と同様にして、上記の残量評価試験を行なった。その結果を表１に併記する。【００４９】
比較例２
上記特許文献４に記載の容器に類似する容器（特開２００３−２００７８号公報）を用いて、実施例１と同様にして、上記の残量評価試験を行なった。その結果を表１に併記する。【００５０】
【表１】
2012164779.tif 000003
【００５１】
（３）チューブ容器用スタンド
実施例６
本実施例に係るチューブ容器用スタンドは、実施例１に記載の外装容器１からなり、図１〜図４に示されるように、内部にチューブ容器本体２１の外側を囲むように保持されている。また、挟持部６及びリング状の保持部１１によりチューブ容器２が固定されている。
また、本実施例のチューブ容器用スタンドは、その底部１２が台座状に形成され、且つ、底辺（底部の底端面）が、平面に形成されていることにより、容易に立てて置くことができる。【００５２】
（４）実施例の効果
以上より、本実施例の外装容器１によると、屈曲形状からなる舌片５（５ａ、５ｂ）を備え、屈曲部からなる挟持部６（６ａ、６ｂ）と、挟持部６（６ａ、６ｂ）を支点として延設された押圧板部７（７ａ、７ｂ）とを有する。よって、チューブ容器２の下部（平面部２２側）は、挟持部が両側から接触して挟むようにして固定され、また、チューブ容器２の上部（口部２３側）は、リング状の保持部１１により、チューブ容器２の肩部を両側から挟むようにして、固定されていることから、チューブ容器２は外装容器１内に安定的に固定され装着性及び操作性に優れる。【００５３】
また、舌片５（５ａ、５ｂ）は、開口部４（４ａ、４ｂ）のほぼ全面に渡って配設され、挟持部６（６ａ、６ｂ）を支点として形成された押圧板部７（７ａ、７ｂ）を有している。よって、押圧板部７（７ａ、７ｂ）は、挟持部６を支点として可動されると共に、チューブ容器本体２１の一面側及び他面側のほぼ全面を押圧することができ、効率的にチューブ容器２の内容物が吐出口より吐出され、チューブ容器内における内容物の絞り残しの抑制に優れ、内容物が残留し難い効果を奏する。【００５４】
また、押圧板部７ａ及び７ｂは、それぞれの中心部から先端部にかけて、徐々に厚くなるように設けられていることにより、チューブ容器本体２１の一面側及び他面側のそれぞれの全体面を均一に押圧することができ、押圧等によりチューブ容器本体２１が変形した状態であっても、チューブ容器２の内容物を効率的に絞り出すことができる。【００５５】
また、外装容器１の底部１２が台座状に形成され、且つ、底部１２の底面が平面に形成されていることにより、外装容器１は自立させて、安定して立てて置くことができる。これにより、塗布物以外への内容物の付着等を効果的に防止することができる。特に、内容物が瞬間接着剤等である場合には、作業台等の非接着物への付着を効果的に防止することができ、作業性及び保管性に優れる。【００５６】
また、底部１２にくぼみ状等の指当て部３４が設けられていることにより、押圧板部７（７ａ、７ｂ）を押圧する際に、押圧板部７（７ａ、７ｂ）の下部方向からの押圧がより可能となり、チューブ容器本体２１の平面状の平面部２２側からより効率的に圧力をかけることができ、内容物の絞り残しの抑制により優れる。【００５７】
また、表１の結果から、本発明の実施例１による外装容器１では、チューブ容器本体２１内に残留している接着剤の残量率は、３０質量％未満であった。一方、比較例１では、接着剤の残量率は、４５質量％であり、更に、比較例２では、５５質量％であり、いずれもチューブ容器内の内容物の残留量は多かった。このことから、実施例１の本発明による外装容器１は、内部に保持されるチューブ容器２内の内容物の絞り残しの抑制に優れ、内容物が残留し難い効果を奏することがわかる。【００５８】
実施例２における外装容器１は、三角錐状のリブからなる拘止部３２及び湾曲した角棒状のリブからなる拘止部３３が保持部１１に形成され、且つ、棒状のリブからなる補助挟持部６３が挟持部６に形成されている。これにより、内装されるチューブ容器２をしっかり固定することができ、チューブ容器２が外装容器１から抜けることを効率的に防止することができる。【００５９】
また、実施例３における外装容器１は、底部１２の底端面に、皿状に形成された４つの突起部１４を備える。これにより、外装容器１を立てて使用する場合、安定して立てて使用することができ、所謂、ガタツキの防止に効果的である。
特に、本実施例３に示される外装容器１は、安定して立てて使用することができることから、チューブ容器スタンドとして好適に用いることができる。【００６０】
実施例４に係る外装容器１は、対となる半割体３ａ及び３ｂの一方に凸状に形成された突起３１１が設けられており、他方に突起３１１と嵌合可能な凹状に形成された受け孔３１２が設けられている。そして、外装容器１は、対となる半割体３ａ及び３ｂの一方に設けられた突起３１１と、他方に設けられた受け孔３１２とを嵌合させることにより、半割体３ａ及び３ｂを組み合わせてなる。また、突起３１１には、先割れ形状のスリット３１３が形成されており、受け孔３１２内には、突起３１１と受け孔３１２とが嵌合したときにスリット内に進入する楔３１４が設けられている。このような構成により、突起３１１と受け孔３１２とが嵌合することにより、半割体３ａ及び３ｂを確実に組み合わせることができる。また、スリット３１３と楔３１４により、突起３１１と受け孔３１２との嵌合をより確実なものとすることができる。【００６１】
実施例５に係る外装容器１は、半割体３ａ及び３ｂのチューブ容器２の口部２３に対応する側の端部に、口部２３の延びる方向に沿って立ち上がるように形成された周壁部３５が設けられており、周壁部３５は、ノズル８が口部２３に螺結されたときには、ノズル８に外周側から覆われる形態で、ノズル８と嵌合するようになっている。これにより、半割体３ａ及び３ｂ同士の結合を高めることができる。【００６２】
また、実施例５では、ノズル８の内周面に、ノズル８の内側方向に突出するように形成された蓋側突起８１が設けられており、蓋側突起８１は、内周面の周方向に沿って複数配設されている。また、周壁部３５の外周面には、周方向に沿って形成された溝部３６と、溝部３６を幅方向に架け渡すように形成されたリブ３７と、が設けられている。そして、溝部３６は、ノズル８が口部２３に螺結されたときには、蓋側突起８１が嵌るように設けられている。また、リブ３７は、ノズル８が口部２３に螺結されたときには、蓋側突起８１の間に位置するように設けられている。このように、蓋側突起８１が溝部３６に嵌ることで、ノズル８と周壁部３５との結合をより確実なものとすることができる。また、蓋側突起８１とリブ３７が設けられていることにより、ノズル８を螺結させてゆく際に、蓋側突起８１がリブ３７と干渉しつつ回転する感覚を得ることができる。これにより、ノズル８を確実に螺結させたことを認識することができる。更に、螺結完了時には、蓋側突起８１の間にリブ３７が位置することにより、ノズル８の緩みを防止することができる。【００６３】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにける開示事項に限定することを意図するものではなく、むしろ、本発明は添付の特許請求の範囲内における、機能的に同等の構造、方法、使用の全てに及ぶものとする。【００６４】
本発明は上記で詳述した実施形態に限定されず、本発明の請求項に示した範囲で様々な変形または変更が可能である。
【産業上の利用可能性】
【００６５】
本発明の外装容器は、接着剤、硬化剤、コーティング剤、靴墨、ワックス等の化成品、山葵、生姜、辛子、大蒜、チョコレート等の食料品、練り歯磨き、化粧品、髪染め等の日用品、軟膏等の医薬品、絵の具等のチューブ容器の外装容器として広く利用される。特に、ペースト状又はゼリー状の接着剤の外装容器に好適に利用される。
【符号の説明】
【００６６】
１；外装容器、１１（１１ａ、１１ｂ）；保持部、１２；底部、１３；へこみ部、１４；突起部、２；チューブ容器、２１；チューブ容器本体、２２；チューブ容器の平面部、２３；チューブ容器の口部、２３１；封止膜、２４；チューブ容器の肩部、３（３ａ、３ｂ）；半割体、３１；係止部、３１１；突起、３１２；受け孔、３１３；スリット、３１４；楔、３２，３３；拘止部、３４；指当て部、３５；周壁部、３６；溝部、３７；リブ、３ａ；半割体、３ｂ；半割体、４（４ａ、４ｂ）；開口部、５（５ａ、５ｂ）；舌片、６（６ａ、６ｂ）；挟持部、６１、６２；固定部、６３；補助挟持部、７（７ａ、７ｂ）；押圧板部、８；ノズル、８１；蓋側突起、８２；接続部、９；キャップ、ＣＬ；中心線。
【図１】
2012164779.tif 000004
【図２】
2012164779.tif 000005
【図３】
2012164779.tif 000006
【図４】
2012164779.tif 000007
【図５】
2012164779.tif 000008
【図６】
2012164779.tif 000009
【図７】
2012164779.tif 000010
【図８】
2012164779.tif 000011
【図９】
2012164779.tif 000012
【図１０】
2012164779.tif 000013
【図１１】
2012164779.tif 000014
【図１２】
2012164779.tif 000015
【図１３】
2012164779.tif 000016
【図１４】
2012164779.tif 000017
【図１５】
2012164779.tif 000018
【図１６】
2012164779.tif 000019
【図１７】
2012164779.tif 000020
【図１８】
2012164779.tif 000021
【図１９】
2012164779.tif 000022
【図２０】
2012164779.tif 000023
【図２１】
2012164779.tif 000024
【図２２】
2012164779.tif 000025
【図２３】
2012164779.tif 000026
【図２４】
2012164779.tif 000027
【図２５】
2012164779.tif 000028
【図２６】
2012164779.tif 000029
【図２７】
2012164779.tif 000030
【図２８】
2012164779.tif 000031
【図２９】
2012164779.tif 000032
【図３０】
2012164779.tif 000033
【手続補正書】
【提出日】平成24年12月27日(2012.12.27)
【手続補正１】
【補正対象書類名】特許請求の範囲
【補正対象項目名】全文
【補正方法】変更
【補正の内容】
【特許請求の範囲】
【請求項１】
平面部と口部とが設けられたチューブ容器の内容物が収納されたチューブ容器本体の外側を囲むように配される外装容器であって、
本外装容器は、一対の半割体が組み合わされてなり、
前記各半割体は、開口部と、該開口部の下部に連結され、且つ、該開口部内に配設された、前記チューブ容器本体を押圧可能な舌片と、を備え、
前記舌片は、前記チューブ容器の前記平面部側を両側から挟むように固定する挟持部と、前記チューブ容器の前記平面部側から前記口部側に向かうにつれて広がるように対向して設けられている押圧板部と、を有し、
前記チューブ容器は、前記口部の外周面にネジが形成されているとともに、前記口部に螺結される蓋部材を備えており、
前記半割体の前記口部に対応する側の端部には、前記口部の延びる方向に沿って立ち上がるように形成された周壁部が設けられており、
前記周壁部は、前記蓋部材が前記口部に螺結されたときには、前記蓋部材に外周側から覆われる形態で、前記蓋部材と嵌合することを特徴とする外装容器。
【請求項２】
前記押圧板部が、前記挟持部から前記チューブ容器の前記口部側に向けて延設されている請求項１に記載の外装容器。
【請求項３】
本外装容器が、前記チューブ容器の前記口部側を保持するリング状の保持部を有している請求項１又は２に記載の外装容器。
【請求項４】
本外装容器の底部に、凹状のくぼみによる指当て部が設けられている請求項１乃至３のいずれか１項に記載の外装容器。
【請求項５】
前記一対の半割体の一方には、凸状に形成された突起が設けられており、前記一対の半割体の他方には、前記突起と嵌合可能な凹状に形成された受け孔が設けられており、
前記一対の半割体は、前記突起と前記受け孔とを嵌合させることにより組み合わされており、
前記突起には、先割れ形状のスリットが形成されており、
前記受け孔内には、前記突起と前記受け孔とが嵌合したときに前記スリット内に進入する楔が設けられている請求項１乃至４のいずれか１項に記載の外装容器。
【請求項６】
前記蓋部材の内周面には、前記蓋部材の内側方向に突出するように形成された蓋側突起が設けられており、前記蓋側突起は、前記内周面の周方向に沿って複数配設されており、
前記周壁部の外周面には、周方向に沿って形成された溝部と、前記溝部を幅方向に架け渡すように形成されたリブと、が設けられており、
前記溝部は、前記蓋部材が前記口部に螺結されたときには、前記複数の蓋側突起がそれぞれ嵌るように設けられており、
前記リブは、前記蓋部材が前記口部に螺結されたときには、前記複数の蓋側突起の間に位置するように設けられている請求項１乃至５のうちのいずれか１項に記載の外装容器。
【請求項７】
本外装容器が、自立するように、底面を備える請求項１乃至６のいずれか１項に記載の外装容器。
【請求項８】
前記内容物の形態が、液状、ペースト状又はゼリー状である請求項１乃至７のいずれか１項に記載の外装容器。
【請求項９】
前記内容物が、接着剤である請求項８に記載の外装容器。
【請求項１０】
請求項７に記載の外装容器を用いることを特徴とするチューブ容器用スタンド。
【手続補正２】
【補正対象書類名】明細書
【補正対象項目名】０００５
【補正方法】変更
【補正の内容】
【０００５】
しかし、上記特許文献１に記載された被覆体は、切り込みを入れる等の加工が施してあり、機能的ではあるが、装着性や外観の向上には配慮されていない。また、特許文献２及び３に記載された複合容器は、内容物の絞り出しが困難であり、内容物が金属チューブ製容器内に残留しやすいという問題がある。また、ゼリー状やペースト状等の高粘度の液体を使用した場合、塗布量の調整が難しい。更に、構造が複雑で生産性に劣る等の問題もある。また、特許文献４に記載された複合容器は、金属チューブ製容器内の吐出口付近及び下部の内容物の絞り出しが困難であり、金属チューブ製容器内に内容物が残留しやすいという問題がある。
本発明は、上記現状に鑑みてなされたものであり、容器構造が簡単でありながら、外装容器に保持されるチューブ容器内における内容物の絞り残しの抑制に優れる外装容器及びチューブ容器用スタンドを提供することを目的とする。
【手続補正３】
【補正対象書類名】明細書
【補正対象項目名】０００６
【補正方法】変更
【補正の内容】
【０００６】
本発明は、以下の通りである。
１．平面部と口部とが設けられたチューブ容器の内容物が収納されたチューブ容器本体の外側を囲むように配される外装容器であって、
本外装容器は、一対の半割体が組み合わされてなり、
前記各半割体は、開口部と、該開口部の下部に連結され、且つ、該開口部内に配設された、前記チューブ容器本体を押圧可能な舌片と、を備え、
前記舌片は、前記チューブ容器の前記平面部側を両側から挟むように固定する挟持部と、前記チューブ容器の前記平面部側から前記口部側に向かうにつれて広がるように対向して設けられている押圧板部と、を有し、
前記チューブ容器は、前記口部の外周面にネジが形成されているとともに、前記口部に螺結される蓋部材を備えており、
前記半割体の前記口部に対応する側の端部には、前記口部の延びる方向に沿って立ち上がるように形成された周壁部が設けられており、
前記周壁部は、前記蓋部材が前記口部に螺結されたときには、前記蓋部材に外周側から覆われる形態で、前記蓋部材と嵌合することを特徴とする外装容器。
２．前記押圧板部が、前記挟持部から前記チューブ容器の前記口部側に向けて延設されている上記１．に記載の外装容器。
３．本外装容器が、前記チューブ容器の前記口部側を保持するリング状の保持部を有している上記１．又は２．に記載の外装容器。
４．本外装容器の底部に、凹状のくぼみによる指当て部が設けられている上記１．乃至３．のいずれか１項に記載の外装容器。
５．前記一対の半割体の一方には、凸状に形成された突起が設けられており、前記一対の半割体の他方には、前記突起と嵌合可能な凹状に形成された受け孔が設けられており、
前記一対の半割体は、前記突起と前記受け孔とを嵌合させることにより組み合わされており、
前記突起には、先割れ形状のスリットが形成されており、
前記受け孔内には、前記突起と前記受け孔とが嵌合したときに前記スリット内に進入する楔が設けられている上記１．乃至４．のいずれか１項に記載の外装容器。
６．前記蓋部材の内周面には、前記蓋部材の内側方向に突出するように形成された蓋側突起が設けられており、前記蓋側突起は、前記内周面の周方向に沿って複数配設されており、
前記周壁部の外周面には、周方向に沿って形成された溝部と、前記溝部を幅方向に架け渡すように形成されたリブと、が設けられており、
前記溝部は、前記蓋部材が前記口部に螺結されたときには、前記複数の蓋側突起がそれぞれ嵌るように設けられており、
前記リブは、前記蓋部材が前記口部に螺結されたときには、前記複数の蓋側突起の間に位置するように設けられている上記１．乃至５．のうちのいずれか１項に記載の外装容器。
７．本外装容器が、自立するように、底面を備える上記１．乃至６．のいずれか１項に記載の外装容器。
８．前記内容物の形態が、液状、ペースト状又はゼリー状である上記１．乃至７．のいずれか１項に記載の外装容器。
９．前記内容物が、接着剤である上記８．に記載の外装容器。
１０．上記７．に記載の外装容器を用いることを特徴とするチューブ容器用スタンド。
【手続補正４】
【補正対象書類名】明細書
【補正対象項目名】０００７
【補正方法】変更
【補正の内容】
【０００７】
本発明の外装容器によると、一対の半割体が組み合わされてなり、その半割体は、それぞれ、開口部と、開口部の下部に連結され、且つ、開口部内に配設された、チューブ容器本体を押圧可能な舌片と、を備え、この舌片は、チューブ容器の平面部側を両側から挟むように固定する挟持部と、チューブ容器の平面部側から口部側に向かうにつれて広がるように対向して設けられている押圧板部と、を有することから、外装容器の構造が簡単で生産性に優れ、且つ、保持されるチューブ容器の装着性に優れると共に、チューブ容器内における内容物の絞り残しの抑制に優れる外装容器とすることができる。また、外装容器内部に保持されるチューブ容器の外観が露出されず意匠性に優れる。
また、本外装容器における押圧板部が、挟持部からチューブ容器の口部側に向けて延設されている場合、内部のチューブ容器本体を効率的に押圧することができ、内容物の絞り残しの抑制により優れると共に、内容物の吐出量の調整にも優れる外装容器とすることができる。
また、本外装容器が、チューブ容器の口部側を保持するリング状の保持部を有している場合には、内部のチューブ容器が安定して保持されることから、操作性及びチューブ容器の装着性により優れる外装容器とすることができる。
更に、本外装容器の底部に、凹状のくぼみによる指当て部が設けられている場合には、内部のチューブ容器本体を下部方向から効率的に押圧することができ、内容物の絞り残しの抑制により優れる外装容器とすることができる。
また、一対の半割体の一方には、凸状に形成された突起が設けられており、一対の半割体の他方には、突起と嵌合可能な凹状に形成された受け孔が設けられており、一対の半割体は、突起と受け孔とを嵌合させることにより組み合わされており、突起には、先割れ形状のスリットが形成されており、受け孔内には、突起と受け孔とが嵌合したときにスリット内に進入する楔が設けられている場合は、突起と受け孔とが嵌合することにより、半割体同士を確実に組み合わせることができる。また、スリットと楔により、突起と受け孔との嵌合をより確実なものとすることができる。
更に、チューブ容器は、口部の外周面にネジが形成されているとともに、口部に螺結される蓋部材を備えており、半割体の口部に対応する側の端部には、口部の延びる方向に沿って立ち上がるように形成された周壁部が設けられており、周壁部は、蓋部材が口部に螺結されたときには、蓋部材に外周側から覆われる形態で、蓋部材と嵌合するため、周壁部の外周と蓋部材の内周が嵌合することにより、半割体同士の結合を高めることができる。
また、蓋部材の内周面には、蓋部材の内側方向に突出するように形成された蓋側突起が設けられており、蓋側突起は、内周面の周方向に沿って複数配設されており、周壁部の外周面には、周方向に沿って形成された溝部と、溝部を幅方向に架け渡すように形成されたリブと、が設けられており、溝部は、蓋部材が口部に螺結されたときには、複数の蓋側突起がそれぞれ嵌るように設けられており、リブは、蓋部材が口部に螺結されたときには、複数の蓋側突起の間に位置するように設けられている場合は、蓋側突起が溝部に嵌ることにより、蓋部材と周壁部との結合をより確実なものとすることができる。また、蓋側突起とリブが設けられていることにより、蓋部材を螺結させてゆく際に、蓋側突起がリブと干渉しつつ回転する感覚を得ることができる。これにより、蓋部材を確実に螺結させたことを認識することができる。更に、螺結完了時には、蓋側突起の間にリブが位置することにより、蓋部材の緩みを防止することができる。
更に、本外装容器が、自立するように、平面状に形成された底面（底部の底端面）を備える場合には、内容物を収納したチューブ容器を自立した状態で保管することが可能であり、チューブ容器内の内容物の目的物以外への付着が抑制され、作業性及び保管性に優れる外装容器とすることができる。
また、内容物の形態が、液状、ペースト状又はゼリー状である場合、チューブ容器本体を押圧可能な舌片の簡便な操作性により、内容物の吐出量の調整を容易に行うことができる。
更に、内容物が、接着剤である場合、被接着体への塗布量の調整を容易に行うことができ、作業性に優れる。
また、本発明のチューブ容器用スタンドは、平面状に形成された底面を備える外装容器であることから、自立してチューブ容器を保管することができ、且つ意匠性に優れ、作業性及び保管性に優れるチューブ容器用スタンドとすることができる。
【手続補正５】
【補正対象書類名】明細書
【補正対象項目名】０００８
【補正方法】変更
【補正の内容】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】ノズル及びキャップを備えるチューブ容器を保持した参考例に係る外装容器の正面図である。
【図２】ノズル及びキャップを備えるチューブ容器を保持した参考例に係る外装容器の斜視図である。
【図３】ノズル及びキャップを備えるチューブ容器を保持した参考例に係る外装容器の分解斜視図である。
【図４】図１における、ノズル及びキャップを備えるチューブ容器を保持した参考例に係る外装容器のＡ−Ａ線部分断面である。
【図５】図４におけるＢ部分の拡大図である。
【図６】参考例に係る外装容器の正面図である。
【図７】参考例に係る外装容器の側面図である。
【図８】参考例に係る外装容器の平面図である。
【図９】参考例に係る外装容器の底面図である。
【図１０】参考例に係る外装容器の斜視図である。
【図１１】参考例における一方の半割体の側面図である。
【図１２】参考例に係る外装容器の内壁面を表す一方の半割体の背面図である。
【図１３】参考例における一方の半割体の平面図である。
【図１４】参考例における一方の半割体の底面図である。
【図１５】参考例における一方の半割体の斜視図である。
【図１６】ノズル及びキャップを備えるチューブ容器を保持した参考例に係る外装容器の側面図である。
【図１７】他の参考例における一方の半割体の内壁面が表される斜視図である。
【図１８】図１７におけるＣ部分の拡大図である。
【図１９】図１７におけるＤ部分の拡大図である。
【図２０】他の参考例に係る外装容器の底部の拡大斜視図である。
【図２１】他の参考例に係る一方の半割体の部分拡大斜視図である。
【図２２】他の参考例に係る一方の半割体の部分拡大斜視図である。
【図２３】他の参考例に係る外装容器の作用を説明するための説明図である。
【図２４】他の参考例に係る外装容器の作用を説明するための説明図である。
【図２５】実施例に係る外装容器の部分拡大斜視図である。
【図２６】実施例に係る、ノズル及びキャップを備えるチューブ容器、並びにそのチューブ容器を保持した状態の外装容器であって、チューブ容器にノズルを取着する前の状態を示す部分拡大片側縦断面図である。
【図２７】実施例に係る、ノズル及びキャップを備えるチューブ容器、並びにそのチューブ容器を保持した状態の外装容器であって、チューブ容器にノズルを取着する前の状態を示す部分拡大一部縦断面図である。
【図２８】実施例に係る、ノズル及びキャップを備えるチューブ容器、並びにそのチューブ容器を保持した状態の外装容器であって、チューブ容器にノズルを取着した状態を示す部分拡大片側縦断面図である。
【図２９】図２８におけるＦ部分の拡大図である。
【図３０】図２８におけるＥ−Ｅ線部分断面である。
【手続補正６】
【補正対象書類名】明細書
【補正対象項目名】００１０
【補正方法】変更
【補正の内容】
【００１０】
１．外装容器
本発明の外装容器は、平面部と口部とが設けられたチューブ容器の内容物を収納するチューブ容器本体の外側を囲むように配される外装容器であって、本外装容器は、一対の半割体が組み合わされてなり、各半割体は、開口部と、開口部の下部に連結され、且つ、開口部内に配設された、チューブ容器本体を押圧可能な舌片と、を備え、舌片は、チューブ容器の平面部側を両側から挟むように固定する挟持部と、チューブ容器の平面部側から口部側に向かうにつれて広がるように対向して設けられている押圧板部と、を有し、前記チューブ容器は、前記口部の外周面にネジが形成されているとともに、前記口部に螺結される蓋部材を備えており、前記半割体の前記口部に対応する側の端部には、前記口部の延びる方向に沿って立ち上がるように形成された周壁部が設けられており、前記周壁部は、前記蓋部材が前記口部に螺結されたときには、前記蓋部材に外周側から覆われる形態で、前記蓋部材と嵌合することを特徴とする。
【手続補正７】
【補正対象書類名】明細書
【補正対象項目名】００１５
【補正方法】変更
【補正の内容】
【００１５】
また、舌片に形成される押圧板部としては、挟持部からチューブ容器の他端側である口部側に向けて延設され、挟持部を支点に片持ち状に設けることができる。そして、押圧板部は、もう一方の半割体が備える押圧板部とにより、Ｖ字状に形成され、それぞれの押圧板部は、チューブ容器の平面部側から口部側に向かうにつれて広がるように設けることができる（例えば、図４、図７等参照）。そして、外装容器が備える２枚の押圧板部は、押圧により撓曲可能に形成されおり、２枚の押圧板部を押圧することで、チューブ容器本体の一面側及び他面側が、２枚の押圧板部により挟まれることにより圧力を受けて、チューブ容器の内容物が吐出される。この場合、チューブ容器の平面部側の下部に接触して固定している挟持部が、押圧板部の支点となって、チューブ容器本体を押圧するため、チューブ容器内の内容物を効率よく吐出させることができる。
また、押圧板部を含む舌片の形状としては、開口部の下部に連結され、開口部の形状に沿った形状とすることができるが、チューブ容器本体全体を押圧可能となる大きさ及び形状とすることが好ましい（例えば、図３等参照）。
【手続補正８】
【補正対象書類名】明細書
【補正対象項目名】００２４
【補正方法】変更
【補正の内容】
【００２４】
また、本外装容器は、例えば、上記半割体が、上記チューブ容器の口部に対応する側の端部に、口部の延びる方向に沿って立ち上がるように形成された周壁部を備える形態である（例えば、図２５〜図２７等参照）。上記周壁部の構成等は特に問わない。周壁部は、例えば、その外周面に、周方向に沿って形成された溝部が設けられている形態であることができる。また、この場合、溝部を幅方向に架け渡すように形成されたリブが設けられていることができる。
上記溝部の断面形状、大きさ、個数等は特に問わない。また、上記リブの形状、大きさ、個数等は特に問わない。
【手続補正９】
【補正対象書類名】明細書
【補正対象項目名】００２８
【補正方法】変更
【補正の内容】
【００２８】
また、チューブ容器は、蓋部材を備える。この蓋部材は、チューブ容器の口部に取着される。蓋部材の構成等は特に限定されないが、例えば、図３及び図４に示されるように、内容物が吐出されるノズルである形態や、単に口部に取着され、内容物の吐出を防止する蓋である形態等であることができる。なお、蓋部材がノズルである場合は、ノズルを閉塞するキャップ（蓋体）を更に備えていてもよい。蓋部材の取着形態は、螺合による取着（例えば、図４、図２４〜２６等参照）である。
また、蓋部材は、例えば、その内周面に、蓋部材の内側方向に突出するように形成された蓋側突起が設けられていることができる。この蓋側突起は、例えば、内周面の周方向に沿って複数配設されていることができる（例えば、図２６、図２７、図３０等参照）。
【手続補正１０】
【補正対象書類名】明細書
【補正対象項目名】００３０
【補正方法】変更
【補正の内容】
【００３０】
ここで、本実施形態に係る外装容器は、例えば、チューブ容器の口部の外周面にはネジが形成されているとともに、チューブ容器には口部に螺結される蓋部材が備えられており、半割体の口部に対応する側の端部には、上記周壁部が設けられており、周壁部は、蓋部材が口部に螺結されたときには、蓋部材に外周側から覆われる形態で、蓋部材と嵌合する形態である（例えば、図２８、図２９等参照）。
また、本実施形態に係る外装容器は、例えば、上記蓋部材の内周面に上記蓋側突起が設けられており、蓋側突起は内周面の周方向に沿って複数配設されており、上記周壁部の外周面には、上記溝部と、上記リブと、が設けられており、溝部は、蓋部材が口部に螺結されたときには、複数の蓋側突起がそれぞれ嵌るように設けられており、リブは、蓋部材が口部に螺結されたときには、複数の蓋側突起の間に位置するように設けられている形態であることができる（例えば、図２８〜図３０等参照）。
【手続補正１１】
【補正対象書類名】明細書
【補正対象項目名】００３３
【補正方法】変更
【補正の内容】
【００３３】
（１）外装容器
参考例１
本参考例に係る外装容器１は、図１〜１６に示されるように、一対の半割体（半割体３ａ及び半割体３ｂ）が組み合わされて構成されると共に、チューブ容器２の本体２１の外側を囲むようにして、外装容器１の内部にチューブ容器２を保持できるように形成されている。
半割体３ａ及び３ｂは、図３に示されるように、同一形状で形成されている。半割体３ａ及び３ｂは、図３及び図１２に示すように、所定の中心線ＣＬを通る面に対して略対称な形状とされており、同一部位となる突き合わせ面部同士を突き合わせて組み合わせるように構成されている。半割体３ａ及び３ｂの各突き合わせ面部には、半割体３ａ及び３ｂ同士を係止するための係止部３１が設けられている。係止部３１は、凸状に形成された突起３１１、又は突起３１１と嵌合可能な凹状に形成された受け孔３１２とされている。係止部３１は、これら突起３１１と、受け孔３１２と、を一対とする形態で複数対（図１２中２対）が設けられている。そして、対となる突起３１１及び受け孔３１２は、所定の中心線ＣＬに対して対称となる位置にそれぞれ設けられている。これにより、同一形状に形成された半割体３ａ及び３ｂの突き合わせ面部同士を突き合わせたときに、半割体３ａ及び３ｂの一方に設けられた突起３１１と、他方に設けられた受け孔３１２と、を嵌合させて組み合わせることができるようになっている。
【手続補正１２】
【補正対象書類名】明細書
【補正対象項目名】００３９
【補正方法】変更
【補正の内容】
【００３９】
また、本参考例の外装容器１は、図４及び図５に示されるように、その底部１２が台座状に形成され、且つ、底面（底部の底端面）が、形成されている。また、この底面には、図５及び図９に示されるように、凹状のへこみ部１３が設けられており、この凹状のへこみ部１３にコイン等を挿入することにより、容易に外装容器１を解体することができる。更に、外装容器１の底部には、図２等に示されるように、凹状のくぼみによる指当て部３４が、それぞれの半割体３ａ及び３ｂに形成されている。
【手続補正１３】
【補正対象書類名】明細書
【補正対象項目名】００４１
【補正方法】変更
【補正の内容】
【００４１】
参考例２
本参考例２に係る外装容器１は、図１７〜１９に示されるように、参考例１における外装容器１の形状に加えて、更に、拘止部３２及び３３、並びに、補助挟持部６３を備える。拘止部３２及び３３は、保持部１１におけるチューブ容器２と接触する部分に形成されている。拘止部３２としては、三角錐状のリブが形成されている。また、拘止部３３としては、保持部１１のリング形状に沿って、湾曲した角棒状のリブが形成されている。拘止部３２及び３３により、チューブ容器２の肩に食い込むように、チューブ容器２を押さえて固定し、チューブ容器２の外装容器１からの脱落を防止している。
また、補助挟持部６３は、挟持部６におけるチューブ容器２と接触する部分に形成されている。補助挟持部６３としては、挟持部６に形成されている４つの固定部６１のうち、中心部の２つの固定部６１を繋ぐように、棒状のリブが形成され、チューブ容器２の平面部２２側周辺の挟持を補助している。
【手続補正１４】
【補正対象書類名】明細書
【補正対象項目名】００４２
【補正方法】変更
【補正の内容】
【００４２】
参考例３
本参考例３に係る外装容器１は、図２０に示されるように、参考例１における外装容器１の形状に加えて、更に、底部１２の底端面に、皿状（半球状）に形成された４つの突起部１４を備える。
【手続補正１５】
【補正対象書類名】明細書
【補正対象項目名】００４３
【補正方法】変更
【補正の内容】
【００４３】
参考例４
本参考例４に係る外装容器１は、参考例１の外装容器１と略同様の構成であることに加えて、図２１〜図２４に示すように、突起３１１に先割れ形状のスリット３１３が形成されているとともに、受け孔３１２に楔３１４が設けられている。そして、突起３１１と受け孔３１２とを嵌合させるときには、スリット３１３が形成されていることにより突起３１１が変形し、突起３１１の受け孔３１２への挿入が容易となる。また、嵌合したときには、楔３１４がスリット３１３に進入して突起３１１を押し広げた状態となり、嵌合がより確実になる。
【手続補正１６】
【補正対象書類名】明細書
【補正対象項目名】００４４
【補正方法】変更
【補正の内容】
【００４４】
実施例１
本実施例１に係る外装容器１は、参考例１の外装容器１と略同様の構成であることに加えて、図２５〜図２６に示すように、半割体３ａ及び３ｂには、周壁部３５が設けられている。周壁部３５は、チューブ容器２の口部２３に対応する側の端部に設けられており、口部２３の延びる方向に沿って立ち上がるように形成されている。そして、周壁部３５は、ノズル８が口部２３に螺結されたときには、図２８及び図２９に示すように、ノズル８に外周側から覆われる形態でノズル８と嵌合するようになっており、半割体３ａ及び半割体３ｂが組み合わされた状態を保持することができるようになっている。また、この周壁部３５は、図２６に示すように、チューブ容器２の肩部２４を上方から抑えるように設けられており、チューブ容器２が外装容器１から抜けることを防止できるようになっている。
【手続補正１７】
【補正対象書類名】明細書
【補正対象項目名】００４５
【補正方法】変更
【補正の内容】
【００４５】
また、周壁部３５の外周面には、周方向に沿って形成された溝部３６と、溝部３６を幅方向に架け渡すように形成されたリブ３７と、が設けられている。また、本実施例１に係るノズル８の内周面には、内側方向に突出するように形成された蓋側突起８１が設けられている。蓋側突起８１は、図２４及び図２５に示すように、内周面の周方向に沿って、全周に渡って等間隔に、複数配設されている。そして、ノズル８が口部２３に螺結されたときには、図２６及び図２７に示すように、溝部３６は、蓋側突起８１のそれぞれが嵌るように設けられており、リブ３７は、図２６及び図２８に示すように、蓋側突起８１の間に位置するように設けられている。
【手続補正１８】
【補正対象書類名】明細書
【補正対象項目名】００４７
【補正方法】変更
【補正の内容】
【００４７】
（２）残量評価試験
参考例１の外装容器１にチューブ容器２が保持された状態で、押圧板部７の押圧により接着剤が吐出できるまで押し出して使用した。その後、チューブ容器２を外装容器１から取り出して、チューブ容器２内に残留している接着剤の残量を計測し、下記に示される残量率を算出した。
残量率（％）＝（使用後のチューブ容器内の接着剤残量（ｇ）／チューブ容器内の接着剤残量（ｇ））×１００
上記により、得られた残量率から、下記の基準で残量評価について判定した。その結果を表１に示す。
○：残量率が３０質量％未満であった。
×：残量率が３０質量％以上、５０質量％未満下であった。
××：残量率が５０質量％以上であった。
【手続補正１９】
【補正対象書類名】明細書
【補正対象項目名】００４８
【補正方法】変更
【補正の内容】
【００４８】
比較例１
上記特許文献３に記載の容器に相当する容器を用いて、参考例１と同様にして、上記の残量評価試験を行なった。その結果を表１に併記する。
【手続補正２０】
【補正対象書類名】明細書
【補正対象項目名】００４９
【補正方法】変更
【補正の内容】
【００４９】
比較例２
上記特許文献４に記載の容器に類似する容器（特開２００３−２００７８号公報）を用いて、参考例１と同様にして、上記の残量評価試験を行なった。その結果を表１に併記する。
【手続補正２１】
【補正対象書類名】明細書
【補正対象項目名】００５０
【補正方法】変更
【補正の内容】
【００５０】
【表１】
2012164779.tif 000034
【手続補正２２】
【補正対象書類名】明細書
【補正対象項目名】００５１
【補正方法】変更
【補正の内容】
【００５１】
（３）チューブ容器用スタンド
参考例５
本参考例に係るチューブ容器用スタンドは、参考例１に記載の外装容器１からなり、図１〜図４に示されるように、内部にチューブ容器本体２１の外側を囲むように保持されている。また、挟持部６及びリング状の保持部１１によりチューブ容器２が固定されている。
また、本参考例のチューブ容器用スタンドは、その底部１２が台座状に形成され、且つ、底辺（底部の底端面）が、平面に形成されていることにより、容易に立てて置くことができる。
【手続補正２３】
【補正対象書類名】明細書
【補正対象項目名】００５２
【補正方法】変更
【補正の内容】
【００５２】
（４）参考例及び実施例の効果
以上より、本参考例及び実施例の外装容器１によると、屈曲形状からなる舌片５（５ａ、５ｂ）を備え、屈曲部からなる挟持部６（６ａ、６ｂ）と、挟持部６（６ａ、６ｂ）を支点として延設された押圧板部７（７ａ、７ｂ）とを有する。よって、チューブ容器２の下部（平面部２２側）は、挟持部が両側から接触して挟むようにして固定され、また、チューブ容器２の上部（口部２３側）は、リング状の保持部１１により、チューブ容器２の肩部を両側から挟むようにして、固定されていることから、チューブ容器２は外装容器１内に安定的に固定され装着性及び操作性に優れる。
【手続補正２４】
【補正対象書類名】明細書
【補正対象項目名】００５７
【補正方法】変更
【補正の内容】
【００５７】
また、表１の結果から、参考例１による外装容器１では、チューブ容器本体２１内に残留している接着剤の残量率は、３０質量％未満であった。一方、比較例１では、接着剤の残量率は、４５質量％であり、更に、比較例２では、５５質量％であり、いずれもチューブ容器内の内容物の残留量は多かった。このことから、参考例１の外装容器１は、内部に保持されるチューブ容器２内の内容物の絞り残しの抑制に優れ、内容物が残留し難い効果を奏することがわかる。
【手続補正２５】
【補正対象書類名】明細書
【補正対象項目名】００５８
【補正方法】変更
【補正の内容】
【００５８】
参考例２における外装容器１は、三角錐状のリブからなる拘止部３２及び湾曲した角棒状のリブからなる拘止部３３が保持部１１に形成され、且つ、棒状のリブからなる補助挟持部６３が挟持部６に形成されている。これにより、内装されるチューブ容器２をしっかり固定することができ、チューブ容器２が外装容器１から抜けることを効率的に防止することができる。
【手続補正２６】
【補正対象書類名】明細書
【補正対象項目名】００５９
【補正方法】変更
【補正の内容】
【００５９】
また、参考例３における外装容器１は、底部１２の底端面に、皿状に形成された４つの突起部１４を備える。これにより、外装容器１を立てて使用する場合、安定して立てて使用することができ、所謂、ガタツキの防止に効果的である。
特に、本参考例３に示される外装容器１は、安定して立てて使用することができることから、チューブ容器スタンドとして好適に用いることができる。
【手続補正２７】
【補正対象書類名】明細書
【補正対象項目名】００６０
【補正方法】変更
【補正の内容】
【００６０】
参考例４に係る外装容器１は、対となる半割体３ａ及び３ｂの一方に凸状に形成された突起３１１が設けられており、他方に突起３１１と嵌合可能な凹状に形成された受け孔３１２が設けられている。そして、外装容器１は、対となる半割体３ａ及び３ｂの一方に設けられた突起３１１と、他方に設けられた受け孔３１２とを嵌合させることにより、半割体３ａ及び３ｂを組み合わせてなる。また、突起３１１には、先割れ形状のスリット３１３が形成されており、受け孔３１２内には、突起３１１と受け孔３１２とが嵌合したときにスリット内に進入する楔３１４が設けられている。このような構成により、突起３１１と受け孔３１２とが嵌合することにより、半割体３ａ及び３ｂを確実に組み合わせることができる。また、スリット３１３と楔３１４により、突起３１１と受け孔３１２との嵌合をより確実なものとすることができる。
【手続補正２８】
【補正対象書類名】明細書
【補正対象項目名】００６１
【補正方法】変更
【補正の内容】
【００６１】
実施例１に係る外装容器１は、半割体３ａ及び３ｂのチューブ容器２の口部２３に対応する側の端部に、口部２３の延びる方向に沿って立ち上がるように形成された周壁部３５が設けられており、周壁部３５は、ノズル８が口部２３に螺結されたときには、ノズル８に外周側から覆われる形態で、ノズル８と嵌合するようになっている。これにより、半割体３ａ及び３ｂ同士の結合を高めることができる。
【手続補正２９】
【補正対象書類名】明細書
【補正対象項目名】００６２
【補正方法】変更
【補正の内容】
【００６２】
また、実施例１では、ノズル８の内周面に、ノズル８の内側方向に突出するように形成された蓋側突起８１が設けられており、蓋側突起８１は、内周面の周方向に沿って複数配設されている。また、周壁部３５の外周面には、周方向に沿って形成された溝部３６と、溝部３６を幅方向に架け渡すように形成されたリブ３７と、が設けられている。そして、溝部３６は、ノズル８が口部２３に螺結されたときには、蓋側突起８１が嵌るように設けられている。また、リブ３７は、ノズル８が口部２３に螺結されたときには、蓋側突起８１の間に位置するように設けられている。このように、蓋側突起８１が溝部３６に嵌ることで、ノズル８と周壁部３５との結合をより確実なものとすることができる。また、蓋側突起８１とリブ３７が設けられていることにより、ノズル８を螺結させてゆく際に、蓋側突起８１がリブ３７と干渉しつつ回転する感覚を得ることができる。これにより、ノズル８を確実に螺結させたことを認識することができる。更に、螺結完了時には、蓋側突起８１の間にリブ３７が位置することにより、ノズル８の緩みを防止することができる。
【手続補正３０】
【補正対象書類名】明細書
【補正対象項目名】００６３
【補正方法】変更
【補正の内容】
【００６３】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【国際調査報告】
2012164779.tif 000035
2012164779.tif 000036
2012164779.tif 000037
2012164779.tif 000038